(57)【要約】【課題】良好な接続状態を維持することが可能なコネクタを提供すること。【解決手段】エスカッション６２と、エスカッション６２におけるケース２１への組み付け側と反対側に装着されて端子保持筒部７７の配線筒部８２がエスカッション６２の挿通孔９２を通してケース２１への組み付け側に配置されるコネクタアッシー６１と、エスカッション６２におけるケース２１への組み付け側に設けられて配線筒部８２内の端子７１が接続される基板７３と、挿通孔９２を囲うようにエスカッション６２とハウジング７３との間に配置されて挟持される環状の弾性部材６３と、を有し、コネクタアッシー６１にケース２１へ向かって作用する外力が付与された際に、ハウジング７３がエスカッション６２に接触、またはハウジング７３が弾性部材６３を介してエスカッション６２に接触して、前記エスカッションに対する前記コネクタアッシーの移動が規制される。【選択図】図３
2015222649.tif 000002
【特許請求の範囲】
【請求項１】
電子機器ユニットのケースに対して取付可能なコネクタであって、
前記ケースに設けられた開口を塞ぐように前記ケースに組み付けられるエスカッションと、
内部に端子を保持する筒状部が形成されたハウジングを有し、前記エスカッションにおける前記ケースへの組み付け側と反対側に装着されることで、前記筒状部の一部が前記エスカッションに形成された挿通孔を通して前記エスカッションにおける前記ケースへの組み付け側に配置されるコネクタアッシーと、
前記エスカッションにおける前記ケースへの組み付け側に設けられて前記コネクタアッシーの前記筒状部に保持された前記端子が接続される基板と、
を備え、
前記コネクタアッシーに前記ケースへ向かって作用する外力が付与された際に、前記ハウジングが前記エスカッションに接触、または前記ハウジングが中間部材を介して前記エスカッションに接触して、前記エスカッションに対する前記コネクタアッシーの移動が規制される
ことを特徴とするコネクタ。
【請求項２】
前記筒状部が挿通された前記挿通孔を囲うように前記エスカッションと前記ハウジングとの間に配置されて前記エスカッションと前記ハウジングに挟持される環状の弾性部材をさらに備え、
前記コネクタアッシーに前記ケースへ向かって作用する外力が付与された際に、前記ハウジングが前記エスカッションに支持される弾性部材を介して前記エスカッションに接触して、前記エスカッションに対する前記コネクタアッシーの移動が規制される
ことを特徴とする請求項１に記載のコネクタ。
【請求項３】
前記挿通孔と前記筒状部との間には、径方向にクリアランスが形成されている
ことを特徴とする請求項２に記載のコネクタ。
【請求項４】
前記電子機器ユニットは、レンズを有するカメラモジュールであり、
前記基板には、前記レンズの光軸上に配置される撮像素子が実装されている
ことを特徴とする請求項１から３のいずれか１項に記載のコネクタ。
【発明の詳細な説明】
【技術分野】
【０００１】
本発明は、例えば、カメラモジュールなどの電子機器ユニットのケースに取り付けられるコネクタに関する。
【背景技術】
【０００２】
電子機器の筐体に形成されたコネクタ装着孔に取り付けられ、筐体内部に収容された回路基板の接点部と、電子機器に装着される外部機器の接点部とを電気的に接続するコネクタが知られている。このコネクタのなかには、コネクタ装着孔に密着してゴムが取り付けられて防水機能、防塵機能を備えたものがある（特許文献１参照）。
【先行技術文献】
【特許文献】
【０００３】
【特許文献１】特開２０１１−２５８４２２号公報
【発明の概要】
【発明が解決しようとする課題】
【０００４】
ところで、上記のようなコネクタは、回路基板が筐体内に設けられて筐体内に支持され、相手方コネクタとの接続部の端子が回路基板に接続される場合がある。このようなコネクタに対して、接続部に外力が作用すると、防水機能、防塵機能を持たせるためのゴムが弾性変形し、その外力が内部の回路基板に及ぶことがある。すると、接続部の端子と回路基板との接続箇所に外力が作用し、端子と回路基板との良好な接続状態が維持されなくなる虞がある。
【０００５】
本発明は、上述した事情に鑑みてなされたものであり、その目的は、良好な接続状態を維持することが可能なコネクタを提供することにある。
【課題を解決するための手段】
【０００６】
前述した目的を達成するために、本発明に係るコネクタは、下記（１）〜（４）を特徴としている。
（１）  電子機器ユニットのケースに対して取付可能なコネクタであって、
前記ケースに設けられた開口を塞ぐように前記ケースに組み付けられるエスカッションと、
内部に端子を保持する筒状部が形成されたハウジングを有し、前記エスカッションにおける前記ケースへの組み付け側と反対側に装着されることで、前記筒状部の一部が前記エスカッションに形成された挿通孔を通して前記エスカッションにおける前記ケースへの組み付け側に配置されるコネクタアッシーと、
前記エスカッションにおける前記ケースへの組み付け側に設けられて前記コネクタアッシーの前記筒状部に保持された前記端子が接続される基板と、
を備え、
前記コネクタアッシーに前記ケースへ向かって作用する外力が付与された際に、前記ハウジングが前記エスカッションに接触、または前記ハウジングが中間部材を介して前記エスカッションに接触して、前記エスカッションに対する前記コネクタアッシーの移動が規制される
ことを特徴とするコネクタ。
（２）  前記筒状部が挿通された前記挿通孔を囲うように前記エスカッションと前記ハウジングとの間に配置されて前記エスカッションと前記ハウジングに挟持される環状の弾性部材をさらに備え、
前記コネクタアッシーに前記ケースへ向かって作用する外力が付与された際に、前記ハウジングが前記エスカッションに支持される弾性部材を介して前記エスカッションに接触して、前記エスカッションに対する前記コネクタアッシーの移動が規制される
ことを特徴とする上記（１）に記載のコネクタ。
（３）  前記挿通孔と前記筒状部との間には、径方向にクリアランスが形成されている
ことを特徴とする上記（２）に記載のコネクタ。
（４）  前記電子機器ユニットは、レンズを有するカメラモジュールであり、
前記基板には、前記レンズの光軸上に配置される撮像素子が実装されている
ことを特徴とする上記（１）から（３）のいずれか１項に記載のコネクタ。
【０００７】
上記（１）の構成のコネクタでは、組み立てられた電子機器ユニットにおいて、コネクタアッシーに外力が作用してコネクタアッシーがケースに向かって移動しようとしても、コネクタアッシーのハウジングがエスカッションに接触してその移動が規制される。このとき、コネクタアッシーに作用する外力はエスカッションに主に作用を及ぼす。このため、基板がケース内で支持されていても、コネクタアッシーが基板を押圧する力が抑制される。この結果、コネクタアッシーに外力が作用しても、コネクタアッシーの筒状部内に保持された端子とケースに支持された基板との接続箇所にその外力が作用を及ぼすことを抑制できる。よって、端子と基板との接続状態を良好に維持できる。
上記（２）の構成のコネクタでは、組み立てられた電子機器ユニットにおいて、コネクタアッシーに外力が作用してコネクタアッシーがケースに向かって移動しようとしても、コネクタアッシーのハウジングがエスカッションに支持される弾性部材に接触してその移動が規制される。このとき、コネクタアッシーに作用する外力はエスカッションに主に作用を及ぼす。このため、基板がケース内で支持されていても、コネクタアッシーが基板を押圧する力が抑制される。この結果、コネクタアッシーに外力が作用しても、コネクタアッシーの筒状部内に保持された端子とケースに支持された基板との接続箇所にその外力が作用を及ぼすことを抑制できる。よって、端子と基板との接続状態を良好に維持できる。
また、上記（２）の構成のコネクタでは、コネクタアッシーのハウジングの筒状部を囲むように環状の弾性部材が設けられ、コネクタアッシーとエスカッションによって弾性部材が挟持される構成である。このため、コネクタアッシーに作用する外力によって、コネクタアッシーがエスカッションに向かって移動する状況であっても、弾性部材がその外力に抗する応力をコネクタアッシーに与える。このため、コネクタアッシーに外力に対する耐久性を与えることができる。
さらに、上記（２）の構成のコネクタでは、筒状部が挿通された挿通孔を囲むように環状の弾性部材が設けられていることにより、筒状部と挿通孔との間からの水や塵の進入が防止される。このように、弾性部材は防水機能、防塵機能としての役割を担うこともできる。
上記（３）の構成のコネクタでは、コネクタアッシーのハウジングの筒状部と、その筒状部が挿通されるエスカッションの挿通孔との間には、その径方向にクリアランス（隙間）が形成されている。このため、エスカッションに対して基板が組み付けられたコネクタアッシーを、その径方向を含む面方向に動かして、基板の位置を調整することができる。このとき、コネクタアッシーとエスカッションによって弾性部材が挟持される構成であり、弾性部材の反力によってコネクタアッシーがエスカッションに対して固定されるため、基板の位置が調整された状態を維持することができる。
上記（４）の構成のコネクタでは、エスカッションに対して基板が組み付けられたコネクタアッシーを、その径方向を含む面方向に動かして、基板の位置を調整することで、レンズの光軸と、レンズからの光を受光する撮像素子の光軸とが同一直線状になるように調整することができる。このとき、弾性部材の反力によってコネクタアッシーがエスカッションに対して固定されるため、光軸が調整された状態を維持することができ、カメラモジュールの性能を良好なものに維持することができる。
【発明の効果】
【０００８】
本発明によれば、良好な防水・防塵機能を確保しつつ良好な接続状態を維持することが可能なコネクタを提供できる。
【０００９】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１０】
【図１】図１は、本実施形態に係るコネクタを備えたカメラモジュール及び相手方コネクタの斜視図である。
【図２】図２は、本実施形態に係るコネクタを備えたカメラモジュールの正面側から視た斜視図である。
【図３】図３は、本実施形態に係るコネクタを備えたカメラモジュールを断面視した斜視図である。
【図４】図４は、本実施形態に係るコネクタを備えたカメラモジュールの分解斜視図である。
【図５】図５は、本実施形態に係るコネクタを備えたカメラモジュールを断面視した分解斜視図である。
【図６】図６は、コネクタを構成するコネクタアッシーが組み付けられたエスカッションの正面側から視た斜視図である。
【図７】図７は、コネクタを構成するコネクタアッシーが組み付けられたエスカッションの裏面側から視た斜視図である。
【図８】図８は、コネクタを構成するコネクタアッシー及びエスカッションの正面側から視た斜視図である。
【図９】図９は、コネクタを構成するコネクタアッシー及びエスカッションの裏面側から視た斜視図である。
【図１０】図１０（ａ）から図１０（ｃ）は、エスカッションへのコネクタアッシーの組み付け工程を説明する図であって、図１０（ａ）はコネクタアッシー及びエスカッションの正面側から視た斜視図、図１０（ｂ）は組み付け途中のコネクタアッシー及びエスカッションの正面側から視た斜視図、図１０（ｃ）は組み付け後のコネクタアッシー及びエスカッションの正面側から視た斜視図である。
【図１１】図１１（ａ）から図１１（ｃ）は、エスカッションへのコネクタアッシーの組み付け工程を説明する図であって、図１１（ａ）はコネクタアッシー及びエスカッションの裏面側から視た斜視図、図１１（ｂ）は組み付け途中のコネクタアッシー及びエスカッションの裏面側から視た斜視図、図１１（ｃ）は組み付け後のコネクタアッシー及びエスカッションの裏面側から視た斜視図である。
【図１２】図１２は、コネクタアッシーへの基板の装着工程を説明するコネクタの裏面側から視た斜視図である。
【図１３】図１３は、参考例に係るコネクタを備えたカメラモジュールを断面視した斜視図である。
【発明を実施するための形態】
【００１１】
以下、本発明に係る実施の形態の例を、図面を参照して説明する。
【００１２】
図１は、本実施形態に係るコネクタを備えたカメラモジュール及び相手方コネクタの斜視図である。図２は、本実施形態に係るコネクタを備えたカメラモジュールの正面側から視た斜視図である。
【００１３】
図１及び図２に示すように、本実施形態に係るコネクタ１１は、カメラモジュール（電子機器ユニット）１２に取り付けることができる。具体的には、カメラモジュール１２は、カメラレンズ４３とは反対側の面が開口しており、コネクタ１１はこの開口に取り付けられる。コネクタ１１は、一方の側がカメラモジュール１２に取り付けられ、他方の側が相手方コネクタ１と嵌合可能な形状である。相手方コネクタ１は、制御機器（図示略）等から延びる電線２を有している。コネクタ１１は、相手方コネクタ１と嵌合することによって後述するコネクタアッシー６１が電線２と電気的に接続され、他方、カメラモジュール１２に取り付けられることによってコネクタアッシー６１の後述する基板７３がレンズユニット２２に光学的に接続される。こうして、電線２を介して制御機器とカメラモジュール１２との信号の送受信が行われる。
【００１４】
図３は、本実施形態に係るコネクタを備えたカメラモジュールを断面視した斜視図である。図４は、本実施形態に係るコネクタを備えたカメラモジュールの分解斜視図である。図５は、本実施形態に係るコネクタを備えたカメラモジュールを断面視した分解斜視図である。
【００１５】
図３から図５に示すように、カメラモジュール１２は、ケース２１と、レンズユニット２２と、固定筒体２３とを有している。
【００１６】
ケース２１は、合成樹脂から成形されたもので、一端側が開口された箱型に形成されている。ケース２１には、開口部３１と反対側の底部３２に、孔部３３が形成されている。レンズユニット２２及び固定筒体２３は、ケース２１の開口部３１側からケース２１内に組み込まれている。ケース２１には、開口部３１側の縁部における各角部に、ネジ孔３４が形成されている。
【００１７】
レンズユニット２２は、平板部４１と、この平板部４１の一方の面の中央部分に突出する光学機構部４２とを有している。光学機構部４２の先端部には、正面視円形のカメラレンズ４３が設けられている。
【００１８】
固定筒体２３は、ケース２１内に嵌合される略角筒状に形成された筒部本体５１を有している。筒部本体５１は、例えば導体で形成され、ケース２１内へ伝搬する電磁波を遮蔽する役割を果たす。この筒部本体５１の後端部における四隅には、内側へ突出する位置決め突起５２が形成されている。
【００１９】
レンズユニット２２及び固定筒体２３をケース２１に装着する手順は次のとおりである。まず、固定筒体２３が、レンズユニット２２に対して平板部４１側から嵌め込まれてレンズユニット２２に装着される。そして、このレンズユニット２２に装着された固定筒体２３をケース２１の後方から嵌め込むことで、レンズユニット２２及び固定筒体２３がケース２１内に装着される。このようにレンズユニット２２をケース２１に組み込んだとき、カメラレンズ４３はケース２１の孔部３３で露出する位置にある。この状態で、レンズユニット２２は、その平板部４１の後方側が固定筒体２３の位置決め突起５２によって係止される。ケース２１の内径と固定筒体２３の外径が同程度の設計としケース２１に対して固定筒体２３を固定することにより、レンズユニット２２は、位置決め突起５２及び孔部３３によって所望の位置に配置することができる。
【００２０】
コネクタ１１は、カメラモジュール１２のケース２１に対して取付可能とされている。コネクタ１１は、コネクタアッシー６１と、エスカッション６２と、弾性部材６３と、基板７３とを有している。
【００２１】
コネクタアッシー６１は、端子７１と、ハウジング７２とを有している。端子７１は、内導体７４と、外導体７５と、絶縁体７６とを有している。内導体７４及び外導体７５は、導電性を有する金属材料から形成され、絶縁体７６は絶縁性を有する樹脂材料から形成されている。絶縁体７６は、内導体７４の周囲に設けられており、この絶縁体７６の周囲に、円筒状の外導体７５が設けられている。これにより、内導体７４と外導体７５とが絶縁体７６によって絶縁された状態で一体化されている。絶縁体７６の一端には、内導体７４の端部からなる内導体端子部７４ａが突出されている。また、外導体７５には、その一端から外導体端子部７５ａが突出されている。
【００２２】
図６は、コネクタを構成するコネクタアッシーが組み付けられたエスカッションの正面側から視た斜視図である。図７は、コネクタを構成するコネクタアッシーが組み付けられたエスカッションの裏面側から視た斜視図である。図８は、コネクタを構成するコネクタアッシー及びエスカッションの正面側から視た斜視図である。図９は、コネクタを構成するコネクタアッシー及びエスカッションの裏面側から視た斜視図である。
【００２３】
図６から図９に示すように、ハウジング７２は、円筒状に形成された端子保持筒部（筒状部）７７と、円板状に形成されたフランジ板部７８とを有している。ハウジング７２は、合成樹脂から成形されたものである。フランジ板部７８は、端子保持筒部７７の中間部において、径方向外方に張り出すように形成されている。端子保持筒部７７は、フランジ板部７８を境に、一端側が接続筒部８１とされ、他端側が配線筒部（筒状部の一部）８２とされている。端子保持筒部７７には、その内部に、端子７１が挿し込まれて固定される。端子保持筒部７７内に固定された端子７１は、内導体７４の内導体端子部７４ａ及び外導体７５の外導体端子部７５ａが配線筒部８２の端部から突出される。接続筒部８１には、相手方コネクタ１に係止可能な係止部８３が形成されている。配線筒部８２には、その端部に、互いに反対方向へ突出する一対の係止キー８４が形成されている。フランジ板部７８には、その縁部に、周方向へわたって配線筒部８２側へ突出する環状突起８５が形成されている。
【００２４】
ハウジング７２は、端子保持筒部７７の接続筒部８１の外側面が相手方コネクタ１のハウジングと嵌合するとともに、相手方コネクタ１のハウジングがフランジ板部７８に当接した状態で係止部８３によって係止される。このとき、ハウジング７２は、端子保持筒部７７の接続筒部８１の内部に相手方コネクタ１の端子が挿入される。
【００２５】
エスカッション６２は、合成樹脂から成形されたもので、平面視矩形状に形成されている。エスカッション６２は、ケース２１の開口部３１を覆うようにケース２１に装着される部材である。エスカッション６２には、ケース２１への装着側と反対側の組み付け側からコネクタアッシー６１が組み付けられる。
【００２６】
エスカッション６２は、隔壁９０と、この隔壁９０の周囲に一体に設けられた周壁９１とを有している。隔壁９０には、その中心に、挿通孔９２が形成されている。挿通孔９２は、ハウジング７２の配線筒部８２の外径よりも大きな内径を有している。また、隔壁９０には、挿通孔９２の縁部における互いに対向する位置に、配線筒部８２の係止キー８４の外形よりも僅かに大きな一対のキー溝９３が形成されている。
【００２７】
エスカッション６２には、コネクタアッシー６１の組み付け側に、平面視円形状のハウジング収容凹部９４が形成されている。ハウジング収容凹部９４の底面を構成する隔壁９０の表面９０ａには、挿通孔９２及びキー溝９３を囲う環状突起９５が形成されている。また、隔壁９０の表面９０ａには、環状突起９５の外周側に沿う環状溝部９６が形成されている。
【００２８】
エスカッション６２には、ケース２１への装着側に、基板収容凹部９７が形成されている。基板収容凹部９７の底面を構成する隔壁９０の裏面９０ｂには、一対の係止突起９８が形成されている。これらの係止突起９８は、それぞれキー溝９３に対して同一周方向側に隣接する位置に形成されている。係止突起９８は、隣接するキー溝９３側から離れるにしたがって突出方向へ傾斜するガイド面９８ａを有している。
【００２９】
また、エスカッション６２は、コネクタアッシー６１の組み付け側におけるそれぞれの角部に、窪み部６２ａを有している。また、エスカッション６２の各角部には、ネジ挿通孔９９が形成されており、コネクタアッシー６１の組み付け側では、これらのネジ挿通孔９９が窪み部６２ａで開口されている。これらのネジ挿通孔９９には、コネクタ１１をカメラモジュール１２のケース２１に固定するためのネジ１００（図１参照）が挿入される。
【００３０】
弾性部材６３は、ゴム等の弾性材料から形成されたリング状部材である。この弾性部材６３は、エスカッション６２の挿通孔９２及びキー溝９３を囲う環状突起９５より大きく、かつハウジングのフランジ板部７８の環状突起８５よりも小さいリング状に形成されている。弾性部材６３は、環状突起９５の外周に沿って形成された環状溝部９６内に収容される。弾性部材６３は、環状溝部９６の底部から環状突起９５の先端部までの寸法よりも大きな厚さ寸法を有している。これにより、弾性部材６３は、環状溝部９６内に収容した状態で、その一部が、環状突起９５の先端部から突出される。尚、弾性部材６３としてＯリングを用いた形態を説明するが、弾性部材６３は、Ｏリングに限られるものではなく、弾性を有するリング状（環状）部材であれば、本発明に適用することができる。例えば、リング状部材として、輪切りにしたときの断面が、向かい合う長辺が平行となる長円形状となるものを用いてもよい。
【００３１】
基板７３は、第１基板１０１と第２基板１０２とから構成されている。第１基板１０１と第２基板１０２とは、剛性を有する連結部材１０３によって連結されて互いに間隔をあけて配置されている。第１基板１０１には、スルーホール１０１ａが形成されており、内導体７４の内導体端子部７４ａ及び外導体７５の外導体端子部７５ａがスルーホール１０１ａに挿し込まれてハンダ付けされる。これにより、端子７１は、基板７３の第１基板１０１に固定される。第２基板１０２には、第１基板１０１と反対側における中央部分に、例えば、ＣＣＤ（Charge Coupled Device）イメージセンサなどの撮像素子１０４が実装されている。連結部材１０３には、信号線用の導体とアース線用の導体とが備わっており、第１基板１０１及び第２基板１０２は、連結部材１０３に備わる信号線用の導体及びアース線用の導体を介して電気的に接続される。
【００３２】
次に、コネクタ１１を組み立てる場合について説明する。
図１０（ａ）から図１０（ｃ）は、エスカッションへのコネクタアッシーの組み付け工程を説明する図であって、図１０（ａ）はコネクタアッシー及びエスカッションの正面側から視た斜視図、図１０（ｂ）は組み付け途中のコネクタアッシー及びエスカッションの正面側から視た斜視図、図１０（ｃ）は組み付け後のコネクタアッシー及びエスカッションの正面側から視た斜視図である。図１１（ａ）から図１１（ｃ）は、エスカッションへのコネクタアッシーの組み付け工程を説明する図であって、図１１（ａ）はコネクタアッシー及びエスカッションの裏面側から視た斜視図、図１１（ｂ）は組み付け途中のコネクタアッシー及びエスカッションの裏面側から視た斜視図、図１１（ｃ）は組み付け後のコネクタアッシー及びエスカッションの裏面側から視た斜視図である。図１２は、コネクタアッシーへの基板の装着工程を説明するコネクタの裏面側から視た斜視図である。
【００３３】
まず、エスカッション６２の隔壁９０の表面９０ａに形成された環状溝部９６内に弾性部材６３を嵌め込んで収容させる。
【００３４】
図１０（ａ）及び図１１（ａ）に示すように、エスカッション６２のキー溝９３に対して、コネクタアッシー６１の配線筒部８２に形成された係止キー８４の位置を合わせ、配線筒部８２をエスカッション６２の挿通孔９２へ挿し込む。このように、コネクタアッシー６１の配線筒部８２をエスカッション６２の挿通孔９２へ挿し込むと、係止キー８４がエスカッション６２の隔壁９０の裏面９０ｂ側に配置されるとともに、コネクタアッシー６１のハウジング７２のフランジ板部７８がエスカッション６２のハウジング収容凹部９４内に収容される。これにより、エスカッション６２に保持されている弾性部材６３にフランジ板部７８が当接される。
【００３５】
図１０（ｂ）及び図１１（ｂ）に示すように、コネクタアッシー６１の配線筒部８２をエスカッション６２の挿通孔９２へ挿し込んだら、エスカッション６２に対してコネクタアッシー６１を押し込みつつ、その軸線を中心に回動させる。コネクタアッシー６１は、エスカッション６２に対して、係止キー８４が、キー溝９３に隣接する係止突起９８側へ移動する方向（図中矢印Ａ方向）に回動させる。このようにすると、フランジ板部７８が隔壁９０へ近接されて弾性部材６３が圧縮されるとともに、係止キー８４が隔壁９０の裏面９０ｂに乗り上げる。さらに、エスカッション６２に対してコネクタアッシー６１を回動させると、係止キー８４が係止突起９８のガイド面９８ａに接触しながら係止突起９８に乗り上げる。
【００３６】
図１０（ｃ）及び図１１（ｃ）に示すように、係止キー８４が係止突起９８を乗り越えると、係止キー８４が係止突起９８から外れ、隔壁９０の裏面９０ｂに当接され、エスカッション６２にコネクタアッシー６１が組み付けられた状態となる。この組み付け状態で、コネクタアッシー６１が逆方向へ回動されようとすると、係止キー８４が、係止突起９８に係止され、コネクタアッシー６１の逆方向への回動が規制される。これにより、コネクタアッシー６１が逆方向へ回動されて係止キー８４がキー溝９３から抜けることによる、エスカッション６２からのコネクタアッシー６１の脱落が防止される。また、この組み付け状態で、エスカッション６２の隔壁９０とコネクタアッシー６１のフランジ板部７８とで挟まれて厚さ方向に僅かに圧縮された弾性部材６３がエスカッション６２の隔壁９０とコネクタアッシー６１のフランジ板部７８とに密着される。
【００３７】
図１２に示すように、エスカッション６２の裏側から第１基板１０１のスルーホール１０１ａに内導体７４の内導体端子部７４ａ及び外導体７５の外導体端子部７５ａが挿し込まれるように基板７３を装着して内導体端子部７４ａ及び外導体端子部７５ａを第１基板１０１にハンダ付けする。
【００３８】
上記のように組み立てられたコネクタ１１は、エスカッション６２の挿通孔９２がハウジング７２の配線筒部８２の外径よりも大きな内径を有していることから、挿通孔９２と配線筒部８２との間に、径方向にクリアランスＣが形成される（図３参照）。
【００３９】
また、組み立てられたコネクタ１１は、エスカッション６２に形成された環状突起９５が、コネクタアッシー６１のハウジング７２のフランジ板部７８に対して略隙間なく配置される。さらに、コネクタアッシー６１のハウジング７２のフランジ板部７８に形成された環状突起８５は、エスカッション６２の隔壁９０に対して略隙間なく配置される。
【００４０】
次に、コネクタ１１をカメラモジュール１２へ組み付ける場合について説明する。
【００４１】
カメラモジュール１２に対してコネクタ１１を組み付けるには、カメラモジュール１２のケース２１の開口部３１側に、コネクタ１１を基板７３側から嵌め合わせる。このようにすると、ケース２１の開口部３１がエスカッション６２によって塞がれるとともに、基板７３がケース２１内に収容され、第２基板１０２が位置決め突起５２に当接して位置決めされる。これにより、第２基板１０２の撮像素子１０４がレンズユニット２２の平板部４１の対向位置に配置される。
【００４２】
その後、エスカッション６２のネジ挿通孔９９へネジ１００を挿入し、ケース２１のネジ孔３４へねじ込み、コネクタ１１をカメラモジュール１２のケース２１に固定する。
【００４３】
コネクタ１１をカメラモジュール１２へ組み付けたら、エスカッション６２に対してコネクタアッシー６１を動かして、レンズユニット２２の撮像方向から視たときにケース２１に対して第２基板１０２の位置を上下左右に調整する。こうして、撮像素子１０４とレンズユニット２２のカメラレンズ４３とが正確な位置で対向するように光軸調整を行う。
【００４４】
ところで、コネクタ１１のコネクタアッシー６１には、例えば、コネクタアッシー６１の接続筒部８１へ相手方コネクタ１を接続する際などに、コネクタアッシー６１にカメラモジュール１２のケース２１へ向かう外力が作用することがある。
【００４５】
本実施形態に係るコネクタ１１では、コネクタアッシー６１にカメラモジュール１２のケース２１へ向かう外力が作用してコネクタアッシー６１がケース２１に向かって移動しようとすると、コネクタアッシー６１のハウジング７２のフランジ板部７８がエスカッション６２に支持される弾性部材６３に接触するとともに、フランジ板部７８の環状突起８５がエスカッション６２の隔壁９０に接触する。これにより、コネクタアッシー６１の移動が規制され、また、コネクタアッシー６１に作用した外力はエスカッション６２に主に作用を及ぼすこととなる。
【００４６】
ここで、参考例に係るコネクタについて説明する。
【００４７】
図１３は、参考例に係るコネクタを備えたカメラモジュールを断面視した斜視図である。
【００４８】
図１３に示すように、参考例に係るコネクタ１１１は、カメラモジュール１２に組み付けられている。このコネクタ１１１では、端子１７１が基板１７３に接続されたコネクタアッシー１６１が、ケース２１の内部に基板１７３側から収容されている。ケース２１の開口部３１には、エスカッション１６２が組み付けられて開口部３１が塞がれている。コネクタアッシー１６１は、筒状の接続筒部１７７を有しており、この接続筒部１７７がエスカッション１６２に形成された挿通孔１９３を通して外側に延びている。また、コネクタアッシー１６１とエスカッション１６２とによって挟まれる位置には、環状の弾性部材１６３が配置されている。そして、この弾性部材１６３の弾性力によってコネクタアッシー１６１がケース２１の奥へ付勢され、基板１７３がケース２１内の位置決め突起５２に当接されて支持されている。
【００４９】
このようなコネクタ１１１では、コネクタアッシー１６１にカメラモジュール１２のケース２１へ向かう外力が作用すると、その外力によってコネクタアッシー１６１がケース２１の内部へ押し込まれるように移動してしまう。すると、端子１７１と基板１７３との接続箇所に外力が作用し、端子１７１と基板１７３との良好な接続状態が維持されなくなる虞がある。また、コネクタアッシー１６１が移動することで、弾性部材１６３がコネクタアッシー１６１から離れてしまい、コネクタアッシー１６１とエスカッション１６２との間での防水性、防塵性が得られなくなり、接続筒部１７７と挿通孔１９３との間からケース２１内に水や塵が浸入する虞がある。
【００５０】
これに対して、本実施形態に係るコネクタ１１によれば、コネクタアッシー６１に外力が作用してコネクタアッシー６１がケース２１に向かって移動しようとしても、コネクタアッシー６１側の環状突起８５がエスカッション６２に接触し、エスカッション６２側の環状突起９５がコネクタアッシー６１に接触する。これにより、外力によるコネクタアッシー６１の移動が規制され、また、コネクタアッシー６１に作用する外力はエスカッション６２に主に作用を及ぼすこととなる。このため、コネクタアッシー６１がケース２１内で支持された基板７３を押圧する力が抑制される。この結果、コネクタアッシー６１に外力が作用しても、コネクタアッシー６１の端子保持筒部７７内に保持された端子７１の内導体端子部７４ａ及び外導体端子部７５ａとケース２１に支持された基板７３の第１基板１０１との接続箇所にその外力が作用を及ぼすことを抑制できる。よって、内導体７４及び外導体７５の内導体端子部７４ａ及び外導体端子部７５ａと基板７３の第１基板１０１との接続状態を良好に維持できる。
【００５１】
また、コネクタアッシー６１のハウジング７２の配線筒部８２を囲むように環状の弾性部材６３が設けられ、コネクタアッシー６１とエスカッション６２によって弾性部材６３が挟持される構成である。このため、コネクタアッシー６１に作用する外力によって、コネクタアッシー６１がエスカッション６２を押圧する状況であっても、弾性部材６３がその外力に抗する力をコネクタアッシー６１に作用する。このため、コネクタアッシー６１に、外力に対する強度を与えることができる。
【００５２】
さらに、配線筒部８２が挿通された挿通孔９２を囲むように環状の弾性部材６３が設けられていることにより、配線筒部８２と挿通孔９２との間からの水や塵の進入が防止される。このように、弾性部材６３は防水機能、防塵機能としての役割を担うこともできる。
【００５３】
また、コネクタ１１では、コネクタアッシー６１のハウジング７２の配線筒部８２と、その配線筒部８２が挿通されるエスカッション６２の挿通孔９２との間には、その径方向にクリアランスＣが形成されている。このため、エスカッション６２に対して基板７３が組み付けられたコネクタアッシー６１を、その径方向を含む面方向に動かして、基板７３の位置を調整することができる。これにより、カメラレンズ４３の光軸と、カメラレンズ４３からの光を受光する第２基板１０２上の撮像素子１０４の光軸とが同一直線状になるように調整することができる。このとき、弾性部材６３の反力によってコネクタアッシー６１がエスカッション６２に対して固定されるため、光軸が調整された状態を維持することができ、カメラモジュール１２の性能を良好なものに維持することができる。
【００５４】
なお、コネクタ１１の形状は、組み付けられるカメラモジュール１２や接続される相手方コネクタ１の形状に応じて変わる必要があるが、本実施形態に係るコネクタ１１では、形状が異なる複数種類のコネクタアッシー６１及びエスカッション６２を用意しておけば、これらの部品を組み合わせることにより、様々な形状のカメラモジュール１２及び相手方コネクタ１に対応可能なコネクタ１１を実現することができる。
【００５５】
また、上記実施形態では、コネクタ１１をカメラモジュール１２に組み付ける場合を例にとって説明したが、コネクタ１１を組み付ける電子機器ユニットは、カメラモジュールに限らない。
【００５６】
尚、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００５７】
ここで、上述した本発明に係るコネクタの実施形態の特徴をそれぞれ以下（１）〜（４）に簡潔に纏めて列記する。
［１］  電子機器ユニットのケース（２１）に対して取付可能なコネクタ（１１）であって、
前記ケースに設けられた開口（開口部３１）を塞ぐように前記ケースに組み付けられるエスカッション（６２）と、
内部に端子（７１）を保持する筒状部（端子保持筒部７７）が形成されたハウジング（７２）を有し、前記エスカッションにおける前記ケースへの組み付け側と反対側に装着されることで、前記筒状部の一部が前記エスカッションに形成された挿通孔（９２）を通して前記エスカッションにおける前記ケースへの組み付け側に配置されるコネクタアッシー（６１）と、
前記エスカッションにおける前記ケースへの組み付け側に設けられて前記コネクタアッシーの前記筒状部に保持された前記端子が接続される基板（７３）と、
を備え、
前記コネクタアッシーに前記ケースへ向かって作用する外力が付与された際に、前記ハウジングが前記エスカッションに接触、または前記ハウジングが中間部材（弾性部材６３）を介して前記エスカッションに接触して、前記エスカッションに対する前記コネクタアッシーの移動が規制される
ことを特徴とするコネクタ。
［２］  前記筒状部が挿通された前記挿通孔を囲うように前記エスカッションと前記ハウジングとの間に配置されて前記エスカッションと前記ハウジングに挟持される環状の弾性部材（６３）をさらに備え、
前記コネクタアッシーに前記ケースへ向かって作用する外力が付与された際に、前記ハウジングが前記エスカッションに支持される弾性部材を介して前記エスカッションに接触して、前記エスカッションに対する前記コネクタアッシーの移動が規制される
ことを特徴とする［１］に記載のコネクタ。
［３］  前記挿通孔と前記筒状部との間には、径方向にクリアランス（Ｃ）が形成されている
ことを特徴とする［２］に記載のコネクタ。
［４］  前記電子機器ユニットは、レンズ（カメラレンズ４３）を有するカメラモジュールであり、
前記基板には、前記レンズの光軸上に配置される撮像素子（１０４）が実装されている
ことを特徴とする［１］から［３］のいずれか１項に記載のコネクタ。
【符号の説明】
【００５８】
１１  コネクタ
１２  カメラモジュール（電子機器ユニット）
２１  ケース
３１  開口部（開口）
４３  カメラレンズ（レンズ）
６１  コネクタアッシー
６２  エスカッション
６３  弾性部材
７１  端子
７２  ハウジング
７３  基板
７７  端子保持筒部（筒状部）
７８  フランジ板部
８２  配線筒部（筒状部の一部）
９２  挿通孔
１０４  撮像素子
Ｃ  クリアランス
【図１】
2015222649.tif 000003
【図２】
2015222649.tif 000004
【図３】
2015222649.tif 000005
【図４】
2015222649.tif 000006
【図５】
2015222649.tif 000007
【図６】
2015222649.tif 000008
【図７】
2015222649.tif 000009
【図８】
2015222649.tif 000010
【図９】
2015222649.tif 000011
【図１０】
2015222649.tif 000012
【図１１】
2015222649.tif 000013
【図１２】
2015222649.tif 000014
【図１３】
2015222649.tif 000015